(57)【要約】【課題】複数の計測位置の磁場強度の測定し、操作性の良い生体磁場計測データの表示方法を提供する。【解決手段】表示画面８−１を備えた計算機８を用い、被検者２の生体内から発せられる磁場を、計測センサで複数の計測位置で計測し、該計測信号を該画面に表示する生体磁場計測データの表示方法において、該被検者２の計測部位図と前記計測位置を重ね合せて表示する際、計算機８で被検者２の情報および計測条件に従い、計算機８内のデータベースより選択し、計測データと共に、表示画面８−１で表示するものである。【選択図】　図１
2004041739.tif 000002
【特許請求の範囲】
【請求項１】
表示画面を備えた計算機を用い、被検者の生体内から発せられる磁場を、計測センサで複数の計測位置で計測し、該計測信号を該画面に表示する生体磁場計測データの表示方法において、該被検者情報および計測条件を同時、且つ同一画面上に表示することを特徴とする生体磁場計測データの表示方法。
【請求項２】
表示画面を備えた計算機を用い、被検者の生体内から発せられる磁場を、計測センサで複数の計測位置で計測し、該計測信号を該画面に表示する生体磁場計測データの表示方法において、該計測信号の特性量を等高線図で表示する場合、該特性量の種類によって該計算機で選定した異なる配色で表示することを特徴とする生体磁場計測データの表示方法。
【請求項３】
請求項２記載の生体磁場計測データの表示方法において、前記計測信号の特性量が正値と負値の両方を取り得る場合に、絶対値の等しい特性量には色度の等しい色を割り当てることを特徴とする生体磁場計測データの表示方法。
【請求項４】
表示画面を備えた計算機を用い、被検者の生体内から発せられる磁場を、計測センサで複数の計測位置で計測し、該計測信号を該画面に表示する生体磁場計測データの表示方法において、該被検者情報および信号情報および選択チャンネルで指定した多チャンネルの計測信号の単一波形並びに補助チャンネルに補助情報を同時、且つ同一画面に表示することを特徴とする生体磁場計測データの表示方法。
【請求項５】
表示画面を備えた計算機を用い、被検者の生体内から発せられる磁場を、計測センサで複数の計測位置で計測し、該計測信号を該画面に表示する生体磁場計測データの印刷方法において、前記請求項４記載の表示画面で所定の指定操作により、該請求項４記載の表示画面を印刷することを特徴とする生体磁場計測データの印刷方法。
【請求項６】
表示画面を備えた計算機を用い、被検者の生体内から発せられる磁場を、計測センサで複数の計測位置で計測し、該計測信号を該画面に表示する生体磁場計測データの表示方法において、前記請求項４記載の表示画面で選択チャンネルで指定した多チャンネルの計測信号の単一波形の代わりに、該画面で所定の指定操作により単一時間軸に対する多チャンネルの重なり波形を表示することを特徴とする生体磁場計測データの表示方法。
【請求項７】
表示画面を備えた計算機を用い、被検者の生体内から発せられる磁場を、計測センサで複数の計測位置で計測し、該計測信号を該画面に表示する生体磁場計測データの印刷方法において、前記請求項６記載の表示画面で所定の指定操作により、該表示画面の重なり波形を印刷することを特徴とする生体磁場計測データの印刷方法。
【発明の詳細な説明】
【０００１】
【発明の属する技術分野】
本発明は、生体の脳の神経活動や心臓の心筋活動等、生体内の電流などに基づく生体の磁場を計測するのに適した生体磁場計測装置に関するものである。
【０００２】
【従来の技術】
従来から磁気センサである超伝導量子干渉素子（以下、ＳＱＵＩＤという）を用いて、生体から発生する微弱な磁場の分布を測定し、その測定結果から、生体内部の活動電流の位置を推定し、その分布をイメージングする多チャンネルの生体磁気イメージング装置で、前記生体内部の活動電流の磁界に対応した信号をニューラルネットに入力し、その教師信号を計算機上で計算し、該ニューラルネットワークを用いて推定するものがある。これは生体から発生する磁界によつて、活動電流源の位置推定をリアルタイムで行うことが可能で、実時間表示が可能な有用な装置であった。そのような従来例としては、例えば特開平４ー３１９３３４号公報記載の技術がある。
【０００３】
また、生体の表面に垂直な方向の磁界データから暫定的に大まかに生体活動源を推定する第一段階の推定と、前記暫定的な生体活動電流源の位置付近においてのみ、生体内部の導電率を設定した精密モデルに対して三方向の磁界データを用いて推定を行うようにしたものであり、精密計算は第一段階で推定された位置のみであるから計算量が少なく、推定時間を短縮できる優れた方法であった。そのような従来例としては、例えば特開平５−１４６４１６号等の公開公報に開示されている。
【０００４】
【発明が解決しようとする課題】
前記従来例の前者は、生体磁気イメージング装置においてニューラルネットワークを用いるもので動作原理に関するものであり、その開示内容には実施化する上での技術課題の解決手段の検討が不十分であるという問題点があった。また、前記従来例の後者は、脳を精密モデル化し、その内部に発生する生体活動電流を推定する推定法に関するものであって、他の部位、例えば心臓に関する生体活動電流の推定法については、何等具体的な開示がなされていないという問題点があった。
【０００５】
そこで、上記生体磁気計測によつて推定された推定電流源を２次元ディスプレイ上に表示する表示方式における具体的な開示を説明する。推定された電流ダイポールの位置、向き、大きさ、深さの内、位置、向きを矢印の位置及び向きで表示し、さらに、大きさ及び深さを上記矢印の大きさ、長さ、縮尺度、明度、彩度、色相の内、２種類のパラメータによって２次元ディスプレイ上に表示するようにしたものである。これに関連するものとしては、特開平２−２４６９２６号記載の技術がある。
【０００６】
しかし、上記具体的に開示されている表示方式は、単なる２次元表示にとどまっており、さらに、使用者の便利さや視認性に対する配慮が十分でないという問題があった。本発明の目的は、複数の計測位置の磁場強度の測定が容易、且つ検査者が信号データを正しく読み取れるように、時間特性図を心電図と同じ尺度で比較可能とし、操作の良好な生体磁場計測データの表示方法および印刷方法を提供することにある。
【０００７】
【課題を解決するための手段】
本発明に係る生体磁場計測データの表示方法の構成は、表示画面を備えた計算機を用い、被検者の生体内から発せられる磁場を、計測センサで複数の計測位置で計測し、該計測信号を表示装置の画面に表示する生体磁場計測データの表示方法において、前記被検者の計測部位図と前記計測位置を重ね合せて表示することを特徴とするものである。前項記載の生体磁場計測データの表示方法は、前記被検者の計測部位図を、該計算機で、被検者情報もしくは計測条件に従い、該データベースより選択し、表示することを特徴とするものである。
【０００８】
本発明に係る生体磁場計測データの表示方法の他の構成は、表示画面を備えた計算機を用い、被検者の生体内から発せられる磁場を、計測センサで複数の計測位置で計測し、該計測信号を表示装置の画面に表示する生体磁場計測データの表示方法において、前記被検者情報および計測条件を同時、且つ同一画面に表示することを特徴とするものである。
【０００９】
本発明に係る生体磁場計測データの表示方法のさらに他の構成は、表示画面を備えた計算機を用い、被検者の生体内から発せられる磁場を、計測センサで複数の計測位置で計測し、該計測信号を表示装置の画面に表示する生体磁場計測データの表示方法において、前記計測信号の特性量を等高線図で表示する場合、前記特性量の種類によって該計算機で選定した異なる配色で表示することを特徴とするものである。前項記載の生体磁場計測データの表示方法において、前記計測信号の特性量が正値と負値の両方を取り得る場合に、絶対値の等しい特性量には色度の等しい色を割り当てることを特徴とするものである。
【００１０】
本発明に係る生体磁場計測データの表示方法のさらに他の構成は、表示画面を備えた計算機を用い、被検者の生体内から発せられる磁場を、計測センサで複数の計測位置で計測し、該計測信号を表示装置の画面に表示する生体磁場計測データの表示方法において、横軸を時間とし該表示尺度を１／２５［秒／ｍｍ］とし、縦軸を磁束密度とし該表示尺度を所定単位とすることを特徴とするものである。
【００１１】
本発明に係る生体磁場計測データの印刷方法の構成は、表示画面を備えた計算機を用い、被検者の生体内から発せられる磁場を、計測センサで複数の計測位置で計測し、該計測信号を印刷する生体磁場計測データの印刷方法において、前記請求項６の表示画面で所定の指定操作をすることにより、該請求項６で表示された生体磁場計測データを、横軸の時間送り印刷尺度を１／２５［秒／ｍｍ］とし、縦軸を磁束密度とし該磁束密度尺度を所定単位で印刷することを特徴とするものである。
【００１２】
本発明に係る生体磁場計測データの表示方法のさらに他の構成は、表示画面を備えた計算機を用い、被検者の生体内から発せられる磁場を、計測センサで複数の計測位置で計測し、該計測信号を表示装置の画面に表示する生体磁場計測データの表示方法において、前記被検者情報および信号情報および選択チャンネルで指定した多チャンネルの所定の計測信号の単一波形並びに補助チャンネルに補助情報を同時、且つ同一画面に表示することを特徴とするものである。
【００１３】
本発明に係る生体磁場計測データの印刷方法の他の構成は、表示画面を備えた計算機を用い、被検者の生体内から発せられる磁場を、計測センサで複数の計測位置で計測し、該計測信号を表示装置の画面に表示する生体磁場計測データの印刷方法において、前項記載の表示画面で所定の指定操作により、該請求項記載の表示画面を印刷することを特徴とするものである。
【００１４】
本発明に係る生体磁場計測データの表示方法のさらに他の構成は、表示画面を備えた計算機を用い、被検者の生体内から発せられる磁場を、計測センサで複数の計測位置で計測し、該計測信号を表示装置の画面に表示する生体磁場計測データの表示方法において、前項記載の表示画面で、所定の指定操作により、選択チャンネルで指定した多チャンネルの所定の計測信号の単一波形の代わりに、単一時間軸に対する多チャンネルの重なり波形を表示することを特徴とするものである。
【００１５】
本発明に係る生体磁場計測データの印刷方法のさらに他の構成は、表示画面を備えた計算機を用い、被検者の生体内から発せられる磁場を、計測センサで複数の計測位置で計測し、該計測信号を表示装置の画面に表示する生体磁場計測データの印刷方法において、前項記載の表示画面で所定の指定操作により、該表示画面の重なり波形を印刷することを特徴とするものである。
【００１６】
本発明に係る生体磁場計測データの表示方法のさらに他の構成は、表示画面を備えた計算機を用い、被検者の生体内から発せられる磁場を、計測センサで複数の位置で計測し、該計測信号を表示装置の画面に表示する生体磁場計測データの表示方法において、前記計測信号の特性量を表示する場合、心拍数，血圧を合わせて表示することを特徴とするものである。
【００１７】
本発明に係る生体磁場計測データの表示方法のさらに他の構成は、表示画面を備えた計算機を用い、被検者の生体内から発せられる磁場を、計測センサで複数の位置で計測し、該計測信号を表示装置の画面に表示する生体磁場計測データの表示方法において、該画面で所定の指示動作により視線方向を設定し、該計算機の演算処理により計測信号から三次元的な等高線図で表示することを特徴とするものである。
【００１８】
本発明に係る生体磁場計測データの表示方法のさらに他の構成は、表示画面を備えた計算機を用い、被検者の生体内から発せられる磁場を、計測センサで複数の位置で計測し、該計測信号を表示装置の画面に表示する生体磁場計測データの表示方法において、該計測信号の波形表示開始時刻を表示することを特徴とするものである。
【００１９】
【発明の実施の形態】
図１ないし図１２を参照して本発明の実施の形態を説明する。まず、図１を参照して本発明に係る生体磁気計測装置を説明する。図１は、本発明の一実施形態に係る生体磁気計測装置の概略構成図である。
【００２０】
図１において、生体磁気計測装置Ｍは、環境磁気雑音の影響を除去するために、磁気シ−ルドル−ム１内に設置される。生体からなる被検体である被検者２は、通常ベッド３に仰向け状態で計測が行われるが、うつ伏せなどの状態で計測が行われる場合もある。被検者の生体面（胸部の場合は、一般に胸壁に平行な面）はベッド３の面とほぼ平行であるとしそしてこの面は直交座標系（ｘ，ｙ，ｚ）のｘ−ｙ平面と平行であるものとする。被検者の胸部は、曲面であると共に傾いているが、説明を簡単にするためにほぼ平行とする。
【００２１】
被検者２の胸部の上方には冷媒である液体ヘリウム（以下、液体Ｈｅという）で満たされたデユワ４が配置され、該デユワ４は、図示せず超伝導量子干渉素子（ＳＱＵＩＤ＝Ｓｕｐｅｒｃｏｎｄｕｃｔｉｎｇ　　Ｑｕａｎｔｕｍ　　Ｉｎｔｅｒｆｅｒｅｎｃｅ　　Ｄｅｖｉｃｅ、以下、ＳＱＵＩＤという）と、該ＳＱＵＩＤに接続された検出コイルとを含む複数個の磁気センサ（図２を参照）を収容している。液体Ｈｅは、磁気シ−ルド１の外部にある自動補給装置５から連続的に補給される。
【００２２】
該磁気センサの出力は、被検者２から発生して検出コイルにより検出される生体磁場の強度（磁束密度と考えることもできる）と特定の関係をもつ電圧を出力し、その出力がＦＬＬ（Ｆｌｕｘ　　Ｌｏｃｋｅｄ　　ｌｏｏｐ）回路６に入力される。このＦＬＬ回路６は、ＳＱＵＩＤの出力を一定に保つように、ＳＱＵＩＤに入力された生体磁場（生体磁気）の変化を帰還コイルを介してキャンセルする（これを磁場ロックと呼ぶ）。その帰還コイルに流した電流を電圧に変換することにより、生体磁場信号の変化と特定の関係にある電圧出力を得ることができる。このように帰還コイルを介して検出する方式を取っているので、微弱の磁場を高感度に検出できる。上記磁気センサからの出力電圧は、増幅器・フイルタ−・増幅器（ＡＦＡ）７に入力され、その出力はサンプリングされて、Ａ／Ｄ変換され、計算機８に取り込まれる。
【００２３】
計算機８は、パ−ソナルコンピュ−タからなり、適宜なソフトウエア、例えばウィンドウズ（登録商標）９５アプリケシヨンが搭載されており、８−１はそのディスプレイ部、８−２はキ−ボ−ド、そして８−３はマウスが示され、これらの操作により該計算機８は各種の処理を行い、必要に応じてディスプレイ部に表示することができる。
【００２４】
また、該マウス８−３は、ディスプレイ部８−１の画面上でカ−ソルを移動させて処理対象を選択するのに用いられる。この操作は、キ−ボ−ドを操作することによっても行うことができる。計算機８にはプリンタ９が接続されており、ディスプレイ部８−１で表示された内容を出力用紙に配置して印刷することができる。プリンタは、カラー印刷でも白黒印刷でもよいが、本実施形態ではカラー印刷可能なプリンタが接続されているものとする。
【００２５】
ＡＦＡ７の入力ゲインおよび出力ゲインは調整可能であり、また、ＡＦＡ７は、第１の基準周波数以下の周波数信号を通過させるロ−パスフイルタ、第１の基準周波数よりも低い第２の基準周波数以上の周波数信号を通過させるハイパスフイルタおよび商用電源周波数をカットするノッチフィルタが含まれている。計算機８は、各種の処理を行うことができ、その処理結果はディスプレイ部８−１に表示することができる。
【００２６】
なお、図１で示される前記計算機８を含む構成は、一例を示したものであり、これに限定されるものではない。例えば、タッチパネルを備えたディスプレイを備えたものや、マウスに変えて他の座標指示装置、例えばトラックボールやジョスティック等のポインティングデバイスを使用したものでも差し支えない。また場合によっては公衆電話回線を介して接続される計算機でも差し支えない。
【００２７】
ＳＱＵＩＤとしては、例えば１例として直流ＳＱＵＩＤが用いられる。ＳＱＵＩＤに外部磁場が与えられたときに、それに対応する電圧（Ｖ）が発生するようにＳＱＵＩＤには直流バイアス電流（Ｉｂｉａｓ）が流される。該外部磁場を磁束Φで表すと、ＶのΦに対する特性曲線、すなわちΦ−Ｖ特性曲線は周期関数で与えられる。計測に当っては、それに先立って、ＦＬＬ回路６のオフセット電圧（ＶＯＦＦ）を調整してΦ−Ｖ特性曲線の直流電圧をゼロレベルにする操作が行われる。
【００２８】
図２を参照して、磁気センサを説明する。図２は、図１の生体磁場計測装置に用いられる複数の磁気センサの斜視図である。図２に示されるように、複数個の磁気センサ２０−１〜２０−８、２１−１〜２１−８、２２−１〜２２−８、２３−１〜２３−８、２４−１〜２４−８、２５−１〜２５−８、２６−１〜２６−８および２７−１〜は、生体面すなわちｘ−ｙ平面とほぼ平行な面上にマトリックス状に配置される。
【００２９】
該磁気センサ２０−１、・・・・２７−９の数は任意であるが、図示では、磁気センサのマトリックスは８行８列からなっているから、磁気センサの数は、８×８＝６４個である。各磁気センサは、図示されるように、その長手方向が生体面すなわちｘ−ｙ平面に対して垂直な方向（ｚ方向）と一致するように配置されている。なお、この例では、ベッド面と磁気センサーのＸ−Ｙ面とを平行にしているが、測定精度を高めるには該磁気センサを体に接近させる方が良く傾けるようにすることができる。但し、被検者である人体２は、常に動いているので、人体２に密着させると、この動きが検出部を動かし、かえって高精度の検出が困難となる。
【００３０】
該磁気センサ２０−１、・・・・２７−９の検出コイルには、生体磁場の接線成分（生体面すなわちｘ−ｙ平面にほぼ平行な成分）を検出するコイルと生体磁場の法線成分（生体面すなわちｘ−ｙ平面に直交する成分）を検出するコイルがある。該生体磁場の接線成分を検出するコイルとしては、コイル面がｘ方向およびｙ方向をそれぞれ向いた２つのコイルが用いられ、また、前記生体磁場の法線成分を検出するコイルとしてはコイル面がｚ方向を向いたコイルが用いられる。
【００３１】
図３を参照して、磁気センサの各々の生体磁場の法線成分Ｂｚを検出するセンサの構成を説明する。図３は、図１の生体磁場計測装置に用いられる磁場法線成分を検出する磁気センサの斜視図である。図３において、超伝導線（Ｎｉ−Ｔｉ線）で作られたコイル１０，１１は、そのコイル面がｚ方向を向くように配置されている。このコイルは、互いに逆向きの二つのコイル１０および１１の組み合わせからなり、被検者２に近い方のコイル１０は検出コイルとされ、遠い方のコイル１１は外部磁場雑音を検出する参照コイルとされる。
【００３２】
外部磁場雑音は、被検者よりも遠い信号源から生じており、したがって、その雑音信号は検出コイル１０および参照コイル１１の両方によって検出される。一方、被検者からの磁場信号は微弱であるので、その生体磁場信号は検出コイル１０によって検出されるが、参照コイル１１ではその生体磁場信号にほとんど感応しない。
【００３３】
このため、検出コイル１０は生体磁場信号と外部磁場雑音信号とを検出し、参照コイル１１は外部磁場雑音信号を検出するから、両コイルで検出された信号の差をとることにより、Ｓ／Ｎ比の高い生体磁場の計測が可能となる。これらのコイルは、ＳＱＵＩＤ１２を実装した実装基板の超伝導線を介してＳＱＵＩＤの入力コイルに接続され、これによって、検出された生体磁場信号の法線方向の成分ＢｚがＳＱＵＩＤに伝達される。
【００３４】
図４は、磁気センサの各々の生体磁場の接線成分ＢｘおよびＢｙを検出するセンサの構成を説明する。図４は、図１の生体磁場計測装置において用いられる磁場の接線成分を検出する磁気センサの斜視図である。図示するごとく、接線方向の生体磁場成分検出用の磁気センサでは、平面コイルが用いられる。すなわち、検出コイル１０’および１０”並びに参照コイル１１’および１１”は平面コイルからなり、これらは互いにｚ方向において間隔づけられている第１の平面１３および第２の平面１４にそれぞれ配置される。これらのコイルは、法線成分用と同様に、ＳＱＵＩＤ１２’および１２”の実装基板の入力コイルに接続される。４角柱の互いに直交する２面１４，１３に、これらのＢｘ成分検出用のセンサおよびＢｙ成分検出用のセンサが貼付けられ、これによってＢｘ成分およびＢｙ成分を検出し得るセンサが形成される。
【００３５】
接線成分Ｂｘ、Ｂｙについては、これを図４に示される磁気センサを用いて検出する以外に、図３の磁気センサで得られた法線成分Ｂｚをｘ、ｙについて偏微分して求めてもよい。この場合は一つの磁気センサで接線成分Ｂｘ、Ｂｙと法線成分Ｂｚとの両方を検出し測定することができる。
【００３６】
図５は、図２で示した磁気センサ２０−１、・・２７−８と被検者２の被計測部である胸部３０との位置関係を説明する。図５は、図１の生体磁場計測装置における磁気センサと胸部との位置関係の説明図である。図示されている点は、図２に示されるマトリックス上の行と列との交点、すなわち被検者２の計測点すなわち計測位置を表している。これらの各計測位置をチャンネルとも呼ばれる。図示されるように、この例では、被検者２の頭部から脚部を結ぶ体軸方向をｙ方向とし、被検者２の横方向をｘ方向としている。
【００３７】
図２８は、図５に示すそれぞれの計測位置の生体磁場の測定信号線図である。この測定結果は、各計測位置に対応する磁気センサでそれぞれ検出された信号を基に上述の処理を行うことで得られた時間的に変化する生体磁場波形をマトリックス中に対応するチャンネル毎に示すものである。本例では、心臓の筋肉が発する磁場を検出できる位置に各チャンネルを設けたので、図２８の波形は心磁波形を示している。図２８に示されるように、チャンネル毎に計測された計測データをチャンネル毎にその位置に対応させて表示する場合をグリッドマップ表示と呼ぶ。図２８分図（ａ）、分図（ｂ）、分図（ｃ）は、それぞれ接線成分Ｂｘ、接線成分Ｂｙ、接線成分Ｂｚの心磁波形を示している。
【００３８】
図２９は、図２８の生体磁場測定信号の内、２チャンネルについて計測された接線成分Ｂｘの心磁波形線図である。実線はあるチャンネルの、点線は他のチャンネルの心磁波形を示すものである。心臓の心室が脱分極した時間帯Ｔ１つまり収縮期のＱＲＳ波でのそれぞれの波形ピークの時間が、ｔＱ、ｔＲ、ｔＳとしてそれぞれ示されている。また、心臓の拡張期であるＴ波の時間帯はＴ２として示されている。計測されたデータを表示する場合、グリッドマップ表示の他に、行毎にまたは列毎に単一チャンネルのデータを表示する場合を単一波形表示といい、全チャンネルまたは複数のチャンネルのデータを重ねて表示する場合を重ね波形表示とよばれる。
【００３９】
上記計算機８は、磁気センサからの出力電圧を取り込み処理し得られた上記心磁波形をさらに演算処理、例えば平均化処理、等磁線図、時間積分図作成の処理をし、計算機８内の記憶装置に格納され、必要に応じて、所定の操作により、ディスプレイ部上に表示することができる。例えば、図２９を参照すると、ＱＲＳ波の立上り部分がしきい値ＳＬと一致した時点から予め定められた時間（ｔＯＦＦ）だけ遡り、その遡った時点ｔ１から予め定められた時間Ｔ３だけ経過した時点ｔ２までの間のデータを予め定められた回数だけを加算することが行われる。これが平均化（アベレージング）であり、予め定められた時間Ｔ３をアベレージング時間、ｔＯＦＦをオフセット時間と呼ばれる。
【００４０】
また、心磁波形データは、予め定められた時間範囲にわたって積分されてもよい。その時間積分値が等しい点を結んで作られたマップを時間積分図と呼ぶ。また、心磁波形信号値が等しい点を結んで作られたマップを等磁線図と呼ぶ。図３０は、図２８の測定信号に対応させて特定の時間毎に等磁場線図として表わしたものであり、２０ｍｓｅｃ毎のサンプリング周期の例が示されており、この周期は、任意の周期に変えられることはいうまでもない。
【００４１】
なお、各チャンネルは粗く設定されているので、予め等磁線の間隔、つまり磁場強度差を設定して各チャンネル間を直線補間して等磁線を描くことにより、より診断に適した等磁線図を作ることができる。また、図２９の心磁波形についていえば、各センサで検出された信号データの時間特性において、時点ｔ１からＱＲＳ波のピ−ク位置時点（ｔＲ）までの時間を伝播時間と呼び、その伝播時間が等しい点を結んで作られたマップを伝播時間図と呼ばれる。ｔ１時点はさらに、ＱＲＳ波のピ−ク位置時点を検出し、この時点を基準として決定されてもよい。
【００４２】
また、しきい値ＳＬの設定レベルの変更可能である。ｔ１時点については、これを、ＱＲＳ波の立ち下がり部分がしきい値ＳＬと一致した時点を基準にしてもよい。該計測された生体磁場信号は、生体内の電気的生理現象によってされるものであり、その発生源は、電流双極子モデルによって近似され、その磁場発生源の電流双極子は等磁線上に合成表示することができ、磁場源表示とよばれるものである。前記等磁線図、時間積分図および伝播時間図は、センサの配置されている平面に対応させて再構成されるが、各演算処理による特性量を該平面に垂直な方向に採って３次元マッピングとして再構成することも出来る。
【００４３】
上記被検者２の登録からデータ計測までを行い、そのデータ計測の解析表示、印刷は、ディスプレイ部８−１上の表示画面をみながら一連の操作により行われるが、該表示画面の作成および説明をする。図１において、生体磁気信号の計測およびデータ解析は、適宜なソフトを搭載した計算機８によってすべて上記に説明した各解析図表が作成される。この作成時においては、ディスプレイ部８−１に画面を、キーボード部８−２、マウス８−３を操作することにより所望のレイアウトの表示画面が得られる。
【００４４】
図１に示されるディスプレイ８−１に表示される所望の基本的なレイアウトの画面を図６に示す。図６は、図１の生体磁場計測装置のディスプレイ部に表示さ画面の基本的構成図である。図示する如く、図６の表示画面の上方部は、上から順番に配置されたタイトルバ−部８０１、メニュ−バ−部８０２およびアイコンが配置されているツ−ルバ−部８０３が配設されている。
【００４５】
上記各部は、表示領域やエリアと考えることもできる。これらの配置は、他の処理目的、例えば被検者の登録や読み出し、磁場の計測、計測デ−タの解析のための処理などにおいても、その操作画面で共通して表示される。これにより使用し易さが増し、計測や処理の時間が短縮できる。
【００４６】
基本画面の中央部は、左から右へ順番に配置された被検者情報部８０４、線図や波形のような解析デ−タが表示される解析デ−タ部８０５および操作領域部８０６が配設されている。また、下部は、ステ−タスバ−８０７であり、これは左側に配置された次の操作に関するガイドメッセ−ジを表示するメッセ−ジバ−部８０７−１とその右側に配置された日時表示部８０７−２から構成される。なお、前記メッセ−ジバ−部８０７−１と前記日時表示８０７−２を１つの表示領域としてもよい。なお、上記各部は、概略の場所を示し、いずれも詳細な図示が省略されている。
【００４７】
この例における基本画面では、常に最上部にこのシステムの名称が表示されるタイトルバ−部８０１と、このシステムの基本的な操作を行うメニュ−バ−部８０２、および前記メニューバー部８０２における使用頻度の高い操作が可能なツ−ルバ−部８０３が配置されているので、使用者は、操作画面が変わるたびに操作エリアを探す必要がなく、常に操作画面の上部を見れば現在動作中のシステムを知ることができる。しかも、画面の上部は、人が文章を読む場合を想定すると、明らかなように、先ず最初に目を向ける部分であることから、このシステムの操作における基本的な事項を最上部に設けることで、自然な形で使いやすさを向上させている。
【００４８】
また、画面の中央部は、その中央にはこの操作画面の主体をなす解析デ−タ部８０５を大きく設けることで見易さを向上するとともに、その右側にこの操作画面に特有の操作領域部８０６を設けることで、右手操作における操作画面と操作部の配置と、同様な配置としているので、違和感なく操作を行うことができる。したがって、この操作画面をタッチパネル付きの操作画面に採用しても、操作領域部８０６を操作する右手が解析デ−タ部８０５の障害となることがないように配慮されている。
【００４９】
また、同様に、解析デ−タ部８０５の左側に確認機能しかない被検者情報部８０４が設けられている。被検者情報部８０４には、計測中の被検者の情報あるいはデータ解析中のデータの情報と被検者の情報が表示されるので、常に計測中の被検者あるいはデータ解析中の信号データを確認しながら、操作を行うことができる。しかも、この左側の位置は、右手操作における最も遠い位置となるのでタッチパネル付きの操作画面に採用しても表示の見易さに影響をきたすことがないよう配慮されている。
【００５０】
また、図１０に示す如く、解析デ−タ部８０５および操作領域部８０６は被検者リストおよびその被検者のデ−タリストが表示されるときだけは、それらによって置き換えられる。被検者情報部８０４には、被検者リスト画面が表示されているときは、その画面中の被検者リストにおいて、カ−ソルが置かれる被検者の情報が常時表示され、また、解析デ−タ部８０５には、図１２〜１４等に示される如く、線図や波形のような解析デ−タが表示されているときは、その表示されている解析デ−タが得られた被検者の情報が常時表示される。
【００５１】
これによって、表示されている解析デ−タとその解析デ−タが得られた被検者との関係を明確に知ることができる。このように、このシステムの操作画面においては、メニュ−バ−部８０２と同様に、常に、被検者情報部８０４が操作画面の定位置（図示では左側）に表示されているので、使用者は操作画面が変わるたびに、被検者情報エリアを探す必要がなく、常に操作画面の所定位置（左側）を見れば知ることができる。
【００５２】
タイトルバ−部８０１には、図１２〜１４に示す如く、フレ−ムの名称、具体的には、「Ｍｕｌｔｉｃｈａｎｎｅｌ　　ＭＣＧ　　Ｓｙｓｔｅｍ」という名称が表示される。該「Ｍｕｌｔｉｃｈａｎｎｅｌ　　ＭＣＧ　　Ｓｙｓｔｅｍ」が図示上不鮮明であるので画面外に示してある。以下の各図においては同様である。操作領域部８０６にはボタンやテキストボックスのような操作要素が配置されている。
【００５３】
メニュ−バ−部８０２は、操作メニュ−を選択する部分で、「ファイル（Ｆ）」、「被検者リスト（Ｌ）」、「デ−タ計測（Ｑ）」、「デ−タ解析（Ａ）」、「オプション（Ｏ）」および「ヘルプ（Ｈ）」からなり、操作の順序にしたがって配置されている。
【００５４】
図７を参照して、画面中のメニュ−部８０２におけるそれぞれの操作メニュ−の内容を説明する。図７は、図１の生体磁場計測装置のディスプレイ部に表示される操作画面のメニューバー部における操作メニュー説明図である。図７において、これらのメニュ−の内容は、それぞれ対応するメニュ−ボタンをポインターデバイスのカソールで指定しクリックする（以下、単にクリックという）ことによってプルダウンメニュ−として表示される。このため、操作メニューを必要としないときは、前記各メニューを呼び出すためのキーワードのみメニュ−バ−部８０２にコンパクトに表示しているので、解析データ部や操作領域部等の各作業で必要な表示エリアを広く設定することができる。
【００５５】
そして、操作メニューが必要なときは、操作手順にしたがって配列された前記キーワードをメニューバー部８０２から選択することによって表示して操作指示することができる。この際、前記キーワードは、文字の配列（左から右）に準じて配列されているので、自然な形で操作指示することができる。
【００５６】
図７において、「ファイル（Ｆ）」のプルダウンメニュ−には、ペ−ジレイアウトダイアログボックス（図示せず）を開いて、ペイジレイアウトをセットする「ペ−ジレイアウト（Ｕ）」、印刷前のプレビューのための「プレビュー（Ｖ）」、デ−タの印刷のための「印刷（Ｐ）」及びＭｕｌｔｉｃｈａｎｎｅｌＭＣＧＳｙｓｔｅｍを終了させる「心磁システムの終了（Ｘ）」という項目が含まれている。
【００５７】
「被検者リスト（Ｌ）」のプルダウンメニュ−には、「被検者リスト（Ｌ）」、「被検者削除（Ｐ）」、「データ削除（Ｄ）」という項目が含まれる。プルダウンメニュ−の「被検者リスト（Ｌ）」がクリックされると、図１０に示される被検者リスト画面が表示される。
【００５８】
また、プルダウンメニュ−の「被検者削除（Ｐ）」は、図１０の被検者リスト画面上の被検者リスト中のカ−ソルが置かれた被検者を削除するためのもので、それがクリックされると、削除してよいかどうかの確認を行う確認ダイアログボックス（図示せず）が開かれ、削除が必要な場合は、そのダイアログボックス中の「ＯＫ」というボタンがクリックされ、削除をキャンセルしたいときは「キャンセル」というボタンがクリックされる。被検者が削除されると、その被検者に関するデ−タリスト中のすべてのデ−タも削除される。
【００５９】
「データ削除（Ｄ）」は、図１０の被検者リスト画面上の被検者リスト中のカ−ソルが置かれた被検者に関するデータのうち、画面の下段に表示されている該被検者のデータを削除するためのもので、それがクリックされると、削除してよいかどうかの確認を行う確認ダイアログボックス（図示せず）が開かれ、削除が必要な場合は、そのダイアログボックス中の「ＯＫ」というボタンがクリックされ、削除をキャンセルしたいときは「キャンセル」というボタンがクリックされる。
【００６０】
「デ−タ計測（Ｑ）」のプルダウンメニュ−は、「ＦＬＬ調整（Ｆ）」および「データ計測（Ｑ）」という項目が含まれる。プルダウンメニュ−の「ＦＬＬ調整（Ｆ）」が選択されると、後述の図１６のフロ−にしたがってバイアス電流Ｉｂｉａｓ及びＦＬＬ回路６のオフセット電圧ＶＯＦＦが自動的に調整される。ＦＬＬ調整が実行されている時はそれが終了するまで、操作画面の内容は更新されず、使用者からの入力も一切受け付けない。ＦＬＬの調整が完了すると、ＦＬＬ調整を実行する前の状態に戻る。「データ計測（Ｑ）」がクリックされると、グリッドマップを含むデ−タ計測画面（図１２）が表示される。
【００６１】
「デ−タ解析（Ａ）」のプルダウンメニュ−は「単一波形表示（Ｗ）」、「重ね波形表示（Ｍ）」、「グリッドマップ表示（Ｇ）」、「等磁線図（Ｂ）」、「時間積分図（Ｔ）」および「伝播時間図（Ｐ）」を含むものである。「単一波形表示（Ｗ）」がクリックされると単一波形表示字画面（図１８）が、「重ね波形表示（Ｍ）」がクリックされると重ね波形操作画面（図２０）が、「グリッドマップ表示（Ｇ）」がクリックされるとグリッドマップ操作画面（図２１）がそれぞれ表示される。
【００６２】
また、「等磁線図（Ｂ）」がクリックされると等磁線図画面（図２３）が、「時間積分図（Ｔ）」がクリックされると時間積分図画面（図２７）が、「伝播時間図（Ｐ）」がクリックされると伝播時間図画面（図２６）がそれぞれ表示される。
【００６３】
「オプシヨン（Ｏ）」のプルダウンメニュ−は「磁場源表示（Ｓ）」、「ラインモード（Ｌ）」、「塗潰しモード（Ｆ）」および「３Ｄ表示設定（Ｄ）」が含まれる。「磁場源表示（Ｓ）」がクリックされると等磁線図を表示する際に計測された磁場を生成したと推定される電流ダイポールを等磁線図上に矢印で表示する。「ラインモード（Ｌ）」と「塗潰しモード（Ｆ）」は、等磁線図を表示する際にそれぞれ等高線のみの表示と等高線の間を塗潰す表示を指定し、互いに排他的に選択される。また、「３Ｄ表示設定（Ｄ）」がクリックされると等高線図を３次元的に表示するための視線方向を設定するダイアログボックスが開いて、オペレータからの入力を受け付ける。
【００６４】
「ヘルプ（Ｈ）」のプルダウンメユ−は、「目次（Ｃ）」、「キ−ワ−ドで検索（Ｓ）」及び「バ−ジョン情報（Ａ）」を含み、それぞれヘルプウインドウを開いて目次を示すこと、キ−ワ−ドでトピックを検索すること、バ−ジョンダイアログボックスを開くことのために用いられる。
【００６５】
ツ−ルバ−部８０３には、「印刷」（８０８）、「印刷プレビュー」（８０９）、「被検者リスト」（８１０）、「データ計測」（８１１）、「システム調整」（８１２）、「単一波形表示」（８１３）、「重ね波形表示」（８１４）、「グリッドマッフ゜波形表示」（８１５）、「等磁線図」（８１６）、「時間積分図」（８１７）、「伝播時間図」（８１８）というアイコンが配置されている。これらは、その詳細な図示は省略されているが、メニュ−の機能とリンクしていて、プルダウンメニュ−の項目の内、使用頻度の高いものを選択することができる。
【００６６】
すなわち、「印刷」（８０８）はファイル（Ｆ）」の「印刷（Ｐ）］と、「印刷プレビュー」（８０９）は「ファイル（Ｆ）］の「印刷プレビュー（Ｖ）」と、「被検者リスト」（８１０）は「被験者リスト（Ｌ）」の「被験者リスト（Ｌ）」と、「データ計測」（８１１）は「データ計測（Ｑ）」の「データ計測（Ｑ）」と、「システム調整」（８１２）は「データ計測（Ｑ）」の「ＦＬＬ調整（Ｆ）」と、「単一波形表示」（８１３）は「データ解析（Ａ）」の「単一波形表示（Ｗ）」と、「重ね波形表示」（８１４）は「データ解析（Ａ）」の「重ね波形表示」と、「グリッドマップ波形表示」（８１５）は「データ解析（Ａ）」の「グリッドマップ波形表示」と、「等磁線図」（８１６）は「データ解析（Ａ）」の「等磁線図」と、「時間積分図」（８１７）は「データ解析（Ａ）」の「時間積分図」と、「伝播時間図」（８１８）は「データ解析（Ａ）」の「伝播時間図」とそれぞれ対応している。
【００６７】
このように、アイコンとリンクしているメニュ−については、そのメニュ−をアイコンをクリックするだけで選択することもできる。したがって、使用頻度の高い操作は、解析データ部８０５に隣接したアイコンをクリックするだけで簡単に操作することができるので、前記メニュ−バ−部８０２の操作に比べて短時間に、しかも認識し易いアイコンで操作することができる。なお、前記アイコンは利用者によって選択するようにしてもよく、また、利用頻度（回数）に準じて自動的に前記ツ−ルバ−部８０３に表示するようにしてもよい。
【００６８】
以下、図８のフローチャートに従い、システム操作について説明する。図８は、図１の生体磁場計測装置において操作を示すフローチャートである。また、システム調整、被検者選択および登録、データ計測、データ解析の一連の説明には図９から図２７を参照して詳細に述べる。
【００６９】
図８において、計算機８の電源がＯＮにされると（Ｓ−１）、オペレ−テイングシステムが立ち上げられ、計算機に組込まれたプログラム起動アイコンがディスプレイ部８−１に表示される（Ｓ−２）。そのアイコンの中からＭｕｌｔｉｃｈａｎｎｅｌ　ＭＣＧ　Ｓｙｓｔｅｍのプログラムを選択すると（Ｓ−３）操作画面が表示されて操作可能となる。
【００７０】
ＭＣＧシステムが立ち上がると、前記のような操作画面が表示されるが、本例に係るシステムにおいては、初期画面として図１０に示される被検者リスト画面が表示される（Ｓ−４）。これは被検者と、該被検者の計測または解析データの関係が極めて重要であるため、このシステムでは被検者情報をキーワードとしてデータ管理していることに起因する。すなわち、計測データや解析データは被検者情報がないと管理ができないためである。
【００７１】
このため、このシステムでは、被検者リスト画面において、先ず、被検者を登録または登録されているときは被検者を特定し、次に、新規計測の場合は、計測に移行し、既に計測データがある場合は目的のデータを特定する。なお、本被検者リスト画面に先立ってシステム立ち上げ時の時間待ちの操作画面を備えてもよく、更に本システムの目次的な役割をする操作画面を設けてもよい。
【００７２】
被検者の登録から、その登録された被検者のデ−タ計測を行って、その計測されたデ−タの解析を行うまでの一連の操作はディスプレイ８−１に表示される操作画面を見ながら行われる。このため、その一連の操作の説明に先立って、まずその操作画面のレイアウトを説明する。図１０に示される被検者リスト画面について説明する。図１０は、図１の生体磁場計測装置のディスプレイ部に表示される被検者リスト画面である。その左側は、被検者情報部で占められる。また、その右側全体の上部には被検者リストが、下部にはデ−タリストが表示されるようになっている。被検者リストの項目は、ＩＤ（被検者ＩＤ番号）、氏名、登録年月日（デ−タ登録された日）、計測回数（デ−タ計測が行われた回数）、生年月日、年齢、身長、体重、コメント（被検者に関するコメント）等が含まれる。
【００７３】
右側上部の被検者リストについては、これを縦スクロ−ルバ−でスクロ−ルすることができ、前記被検者リストの項目については、これを水平（横）スクロ−ルバ−でスクロ−ルすることができる。選択された被検者の行は、強調表示される。
【００７４】
選択された被検者に関するデ−タリストの項目は、ＩＤ、デ−タの種類（生（Ｒａｗ）デ−タかアベレ−ジング（Ａｖｅｒａｇｉｎｇ）か、サンプリング間隔（デ−タ計測が行われたときの信号のミリ秒単位でのサンプリング間隔）、サンプリング時間（秒単位）、分類（病気の分類情報）、Ｄａｔｅ及びＴｉｍｅ（デ−タ計測が行われた日及び時刻）、コメント（デ−タに関するコメント）等が含まれる。
【００７５】
デ−タリストについては、これを縦スクロ−ルバ−でスクロ−ルすることができ、デ−タリストの項目については、これを水平（横）スクロ−ルバ−でスクロ−ルすることができる。選択されたデ−タの行は強調表示される。この被検者リスト画面によれば、被検者リストに各被検者の情報を１行表示する。これにより、上下に配列される各被検者の情報が明確に区分けすることができるので識別性を向上することができるから、たとえば誤って別の被検者を選択する誤操作を軽減することができる。
【００７６】
この各被検者の情報は水平（横）スクロ−ルバ−でスクロ−ルすることができる共に、選択された被検者の情報は縦長の被検者情報部に項目毎に上下に配列されるので視認性を損なうことがない。
【００７７】
この場合、各被検者のデ−タリストの項目を前後（左右）に移動可能とすることにより視認性をより向上させてもよい。更に、各被検者の情報を１行表示することにより、一度に沢山の被検者を見ることができるので、縦スクロ−ルバ−でスクロ−ルする回数を少なくすることができる。
【００７８】
また、被検者リストの中から目的の被検者に関するデ−タを選択したい被検者リストにカーソルを合わせてクリックするだけの簡単な操作で下部のデ−タリストに表示することができる。しかも、被検者リストとデ−タリストが上下に配置されているので、目線移動が少なくできるから、その関連性を認識しやすい。
【００７９】
また、前記デ−タリストは、そのエリアの上部にカーソルを移動してドラッグする簡単な操作でその大きさを自由に変えることができるので、デ−タリストのリスト数に合わせて自由にその大きさを設定することができる。
【００８０】
被検者リスト画面上の被検者リストの中から所望の被検者の行が選択される（Ｓ−５）。この後、フロ−はメニュ−で３つに分岐される（Ｓ−６）。前記分岐の一つによれば、「ファイル（Ｆ）」というメニュ−の「心磁システム終了（Ｘ）」という項目が選択され、この場合は操作画面を閉じる等の終了処理が行われ（Ｓ−７）、それによって、システムの立ち下げが行われる（Ｓ−８）。その後、計算機８の電源がＯＦＦにされ（Ｓ−９）、すべてが終了する。
【００８１】
分岐の他の一つによれば、デ−タ解析（Ｓ−１１）およびデ−タ計測（Ｓ−１２）が行われる。また、デ−タ解析は、「デ−タ解析（Ａ）」というメニュ−の「単一波形表示（Ｗ）」、「重ね波形表示（Ｍ）」、「グリッドマップ表示（Ｇ）」、「等磁線図（Ｂ）」、「時間積分図（Ｔ）」、「伝播時間図（Ｐ）」という項目のいずれかを選択することにより実行可能である。
【００８２】
さらに、デ−タ計測は「デ−タ計測（Ｑ）」というメニュ−の「計測パネル（Ｐ）」というサブメニュ−を選択することにより実行可能である。別の被検者あるいは別のデータを選択する場合は、「被検者リスト（Ｌ）」というメニューの中の「被検者リスト（Ｌ）」という項目を選択することによってＳ−４に戻ることになる。ステップＳ−５の被検者選択、ステップＳ−１１のデ−タ解析及びステップＳ−１２のデ−タ解析については、その詳細はそれぞれ図１７〜２０に関連して以下に更に詳しく説明される。
【００８３】
図８のステップＳ−５における被検者選択のフロ−を図９に示す。図９は、図８のフローチャートにおける被検者選択のフロ−チャートである。被検者選択のフローは、選択すべき被検者の情報が既にシステムに登録されているか否かによって分岐する。もし、選択すべき被検者の情報が未登録の場合には（Ｓ−５−１でＹＥＳの場合）、マウス８−３を使って、図１０の被検者リスト上のカーソルを一番最後の行に移動する（Ｓ−５−２）。該一番最後の行は、常に新しい被検者情報を追加して登録するために空行として用意されている。続いて、該空行に対して被検者情報の各欄をキーボード８−２を用いて入力する（Ｓ−５−３）。
【００８４】
被検者情報の登録のための被検者リストの最後の空行にデータを入力すると、その行の下に、次の登録のために新しく空行が追加される。もし、連続して新しい被検者の情報を登録する場合にはカーソルを１行下にずらして次々に入力すれば良い。もし、すべての入力すべき被検者情報の入力が完了していなければ、（Ｓ−５−４）、前記（Ｓ−５−２）に戻り、完了していれば、被検者情報を選択する。
【００８５】
選択すべき被検者情報が既に登録されている場合（Ｓ−５−１でＮＯの場合）、および該被検者情報の入力が完了した場合（Ｓ−５−４でＹＥＳの場合）には、選択すべき被検者情報をマウス８−３のボタンをクリックすることによって、被検者リストの中から指定する（Ｓ−５−５）。
【００８６】
この例では、被検者の名前や住所等の文字入力を除いて、操作画面にプルダウンメニューを表示するなどして入力する複数の入力データまたは操作指示を表示し、その選択対象の中からマウスで特定の前記対象をクリック指示することで入力操作を行うようにしている。これにより、マウス操作でほとんどの操作が可能となるのでキーボードに不慣れな作業者に快適な操作環境を提供できるとともに、入力／操作の時間短縮を図ることができる。
【００８７】
前記プルダウンメニューの複数の選択対象は、この装置あるいはその入力／操作状態で入力／操作可能な選択対象が事前に設定され表示されるので誤入力／誤操作を軽減できる。また、この実施例では、入力エリアにカーソルを合わせてキーボードを介して入力することもできるので、操作者の入力の自由度を確保している。
【００８８】
また、本例では、キーボードでの文字入力を想定しているが、入力時にキーボードのダイヤログを表示してこれをマウスで操作して入力してもよい。さらに、手書入力ダイヤログを表示して、マウス操作で手書入力するようにしてもよい。さらには、前記ディスプレイ部にタッチパネルを備えて入力／操作を画面に指先または入力ペンを介して操作してもよい。これらにより入力／操作の操作性を格段に向上することができる。
【００８９】
図８のステップＳ−１２におけるデ−タ計測のフロ−を図１１に示す。図１１は、図８のフローチャート中のデ−タ計測のフローチャートである。まず初めに、初期画面として心磁波形のグリッドマップが図１２に示されるように表示される（Ｓ−１２−１）。図１２は、図１の生体磁場計測装置のディスプレイ部に表示される全チャンネルデータ計測画面である。図１２において、操作領域部では、チャンネル選択、波形モニタのＯＮ−ＯＦＦのための操作をそれぞれ行うことができ、更に、計測が被検者の正面から行われるかあるいは背面から行われるかを示す方向、信号のサンプリング条件設定、波形表示のスケ−ルの設定が可能である。
【００９０】
チャンネルは、８×８の６４チャンネルからなり、「全チャンネル選択」ボタンをクリックするか、又はチャンネルマトリックスを対角線に沿って端から端までドラッグすることによって、全チャンネルを選択することができる。また、行単位又は列単位でチャンネルマトリクスをドラッグすれば、チャンネルを行単位又は列単位で選択することができる。
【００９１】
いずれにしても、選択されたチャンネルについては、その心磁波形が解析デ−タ部に表示される。行単位又は列単位での選択の場合は、図１３のように表示される。図１３は、図１の生体磁場計測装置のディスプレイ部に表示される行単位又は列単位で選択されたデータ計測画面である。この場合、選択された波形は時間軸に関してはフルスケ−ルいっぱいに拡大されて表示される。
【００９２】
すなわち、６４チャンネルすべてが選択されている場合は、図１２に示すように解析データ部を上下左右（桝目）に分割してすべてのチャンネル表示を優先させ、行単位又は列単位での選択の場合は、図１３のように、解析データ部を上下に分割して時間軸を左右にする見慣れたグラフの形態とすることで視認性を優先させた表示形態としている。
【００９３】
波形のモニタについては、「ＯＮ」ボタン（右方中段）が押されると、例えば０．５ｓｅｃから２ｓｅｃの間で指定された時間毎に信号の取り込みと波形の更新が繰り返され、被検者の心磁信号がモニタされる。また、「ＯＦＦ」ボタンが押されると波形の更新が停止する。ＦＬＬについては、「Ｌｏｃｋ」ボタンまたは「Ｕｎｌｏｃｋ」ボタンをクリックすれば、６４個のＳＱＵＩＤセンサに対して磁場ロックを行ったり、そのロックを解除したりすることができる。その場合、一方の「Ｌｏｃｋ」または「Ｕｎｌｏｃｋ」のボタンが押されれば、他方が押されるまでそのままの状態が保たれる。これにより、選択されていない誤動作の状態を回避している。
【００９４】
サンプリングの時間（計測時間）及び間隔（スケール）については、逆黒三角印のついた対応テキストボックスをクリックすれば、選択可能な数値のプルダウンメニュ−が開かれ、その中から所望の数字を選択することができる。その選択可能な数字は、時間については、例えば１ｓｅｃ、５ｓｅｃ、１０ｓｅｃ、３０ｓｅｃ、１ｍｉｎ及び２ｍｉｎであり、間隔についてはたとえば０．１ｍｓｅｃ、０．５ｍｓｅｃ、１．０ｍｓｅｃ、２．０ｍｓｅｃ、４．０ｍｓｅｃ、５．０ｍｓｅｃ及び１０．０ｍｓｅｃである。時間は必要に応じて１ｓｅｃ程度から２４ｈ程度までの間で選ばれるようにしてもよい。
【００９５】
図示「スケ−ル」ボックス内の「時間」とあるのは、ｍｓｅｃ単位の時間スケ−ルすなわち水平方向のスケ−ルを、「信号」とあるのは、Ａ／Ｄ変換された信号のスケ−ルすなわち縦方向のスケ−ルをそれぞれ意味する。これらについてもサンプリングの時間及び間隔の選択と同様に、対応するテキストボックスをクリックすることによって開かれるプルダウンメニュ−の中から所望の数値が選択される。
【００９６】
チャンネルとしては、６４チャンネル以外にさらに、例えば１６チャンネルの補助チャンネルが用意されていて、その補助チャンネルでは例えば心電波形が得られるようにされてもよい。図２６の最下段には、参照チャンネルとしての第１０チャンネルの波形が表示されているが、これは、その補助チャンネル中の第１０チャンネルで得られた心電波形である。心磁波形は、一般に磁気雑音を含み、一方、心電波形はそのような雑音を含まない。図２６は、図１の生体磁場計測装置のディスプレイ部に表示される伝播時間表示画面図である。
【００９７】
したがって、表示されている心磁波形を参照チャンネルの心電波形と比較することにより心磁波形に磁気雑音が含まれているかどうかの情報が得られる。もちろん、その心電波形は補助チャンネルではなく、正規の６４チャンネルの中の任意のチャンネルから得られるようにしてもよい。また、心電波形以外に脳波、血流波形、血圧波形等が用いられてもよい。更に、妊婦の心電波形とその胎児の心磁波形が比較されるようにしてもよい。
【００９８】
また、参照波形としては、１チャンネルの参照波形だけでなく、複数チャンネルの参照波形が表示されるようにしてもよい。更に、参照チャンネルは、生体からの信号だけでなく、保守等を目的とした種々の制御信号を入力するのに用いられてもよい。
【００９９】
図１２および図１３のデータ計測の操作画面の被検者情報部（図６の８０４）において、被検者情報（ＩＤ他）の下に表示されている計測部位７６は、被検者の計測部位と計測点との位置関係を表わしている。被検者の計測部位と計測点との位置関係は被検者の年齢、身長、体重、性別などの体格や、胸部表面あるいは背面などの計測方向によって決まる。
【０１００】
本例では、図１４に示すように、被検者の計測部位と計測点との位置関係を示した描画情報を、被検者の性別、計測方向、身長と体重などの体格情報、計測方向によって引き出し可能なデータベースとして計算機８内に内蔵されて設置されている。図１４は、図６の基本的な操作画面における被検者情報部に表示される被検者の計測部位図を生成するためのデータベースである。
【０１０１】
該データベースから情報を取り出すために、図１０の被検者リストの身長、体重などの体格情報、同じく被検者リストの性別、生年月日と計測年月日から計算された年齢および図１２または図１３における計測の「方向」などの情報が使われる。心臓磁気を計測する場合、体表面と体内部の心臓の位置関係は個人差が大きいため、被検者を表わす図と測定部位との位置関係を表わすパラメータを追加することも考えられる。また、被検者の計測時の写真映像やＭＲＩなどの医療画像を被検者部位として合成することもできる。
【０１０２】
再び、図１１のフロ−チャートの説明に戻る。モニタチャンネルが選択され指定される（Ｓ−１２−２）。ＦＬＬのロックボタンが押されると、すべてのＳＱＵＩＤの磁場ロックがなされる（ステップＳ−１２−３）。その状態で、計測パラメ−タであるサンプリングの時間と信号の設定、被検者の計測方向の設定がなされる（ステップＳ−１２−４）。被検者の計測方向が入力されると図１０の被検者リストの被検者情報と入力された計測方向から、被検者の計測部位図を図１３の計測部位データベースから取り出して図１２および図１３の被検者情報表示部８０４（図６参照）に計測部位図を表示する。
【０１０３】
これらの設定については、生体磁場計測装置に、予め用意されている標準の設定値あるいは以前に設定された条件を使うことができ、次回から省略することができる。これにより、毎回条件設定を行う必要がないので設定時間を短縮することができる。なお、前記設定条件について名称等を付して記録し呼び出し可能としてもよい。
【０１０４】
「計測」ボックスの「開始」ボタンが押されるとデータ計測が開始さる（ステップＳ−１２−５）。計測が開始されると、表示されている信号波形はそのまま固定化される。計測が終了すると、収集したデータを表示して確認する。すなわち図１５に示される画面表示がなされ、波形の確認がなされる（Ｓ−１２−６）。その後、そのデ−タの保存の必要性が判断され（Ｓ−１２−７）、保存が必要な場合はメニュ−「ファイル（Ｆ）」−「保存（Ｓ）」が選択されて信号は保存され、当該被検者のデ−タリストに追加される。保存が必要ない場合は保存されない（Ｓ−１２−８）。
【０１０５】
そののち、保存が必要ない場合も含めて、計測がもう一度必要かどうかの判断がなされ（Ｓ−１２−１０）、必要ならば、モニタチャンネルが選択され、［データ計測（Ｑ）］メニューの「データ計測（Ｑ）］項目を選択して（Ｓ−１２−２）以上のステップを繰り返し、必要なければデ−タ計測の全ステップは終了する。図１５は、図１の生体磁場計測装置のディスプレイ部に計測終了時に表示される波形確認画面である。なお、図１５はチャンネルとして第２列目の行のチャンネルが選択された例が示されている。
【０１０６】
図１５において、解析デ−タ部の最下部には、スクロ−ルボックス２６１が移動するスクロ−ルバ−２６２がある。スクロ−ルボックス２６１は、スクロ−ルバ−２６２の左右の両端間で移動可能なるもので、そのスクロ−ルボックス２６１の幅ｗは時間スケ−ルを表す。そのスクロ−ルバ−２６２の左右の両端間の時間幅は計測時間を表し、したがって、表示されている波形は、計測時間中に生じる波形のスクロ−ルボックス２６１の時間スケ−ルｗに相当する一部分の拡大された波形である。
【０１０７】
これにより、操作者は、現在解析デ−タ部８０５に表示されている波形が計測時間（スクロ−ルバ−２６２の幅）の中でどのくらいの時間（スクロ−ルボックス２６１の幅）かを示し、前記波形が計測時間の中で前半を示しているのか後半を示しているのか等を一目で把握することができるので、視認性を向上させることができる。波形表示を別の機会に再現するためには正確な表示開始時刻が必要となるため、スクロールバー２６２の左にそれを表示している。
【０１０８】
また、前記スクロールボックス２６１の位置と解析データ部８０５の波形を連動させているので、カーソルを前記スクロールボックス２６１に合わせてドラッグしながら移動させることで、解析データ部８０５の表示領域を移動させて所定時間の波形を見るようにしてもよい。このようにすれば、所定時間の波形を簡単に確認する等、前記スクロ−ルバ−２６２を目次的に扱いで計測内容を詳細に確認することができる。
【０１０９】
図８のステップＳ−１１におけるデ−タ解析のフロ−チャートを図１６に示している。図１６は、図８のフローチャートにおけるデ−タ解析のフロ−チャートである。前記デ−タ解析は、いろいろな種類の波形や線図を表示して診断に必要な情報を得ようとするもので、図８の「データ解析（Ａ）」メニュ−で分岐の各項目を選択することにより、（Ｓ−１１−１）種々の種類の波形や線図の画面を選択的に表示することができる。
【０１１０】
すなわち、「デ−タ解析（Ａ）」の「単一波形表示（Ｗ）」を選択すれば図１７に示される単一波形画面が（Ｓ−１１−２）で、「デ−タ解析（Ａ）」の「重ね合せ波形表示（Ｍ）」を選択すれば図２０に示される重ね波形画面が（Ｓ−１１−３）で、「デ−タ解析（Ａ）」の「グリッドマップ表示（Ｇ）」を選択すれば図２１に示されるグリッドマップ波形画面が（Ｓ−１１−４）で、「デ−タ解析（Ａ）」の「等磁線図（Ｂ）」を選択すれば図２２、図２３、図２４に示される等磁線図画面が（Ｓ−１１−５）で、「デ−タ解析（Ａ）」の「伝播時間図（Ｐ）」を選択すれば図２６に示される伝播時間図画面が（Ｓ−１１−６）で、そして「デ−タ解析（Ａ）」の「時間積分図（Ｔ）」を選択すれば図２７に示される時間積分図画面が（Ｓ−１１−７）で、それぞれ表示される。また、「ファイル（Ｆ）」の「心磁システムの終了（Ｘ）」を選択すれば、システムが終了する。
【０１１１】
前記それぞれの画面において、図６のツールバー部８０３上に配置されたアイコン８１３〜８１８をクリックすれば、そのクリックによって指定された波形または線図の表示画面が代わって表示される。図１６のフローチャートで、Ｓ−１１−１において、分岐の部分を「メニュ−で分岐」のみに記載せずに、「メニュ−又はアイコンで分岐」としたのはそのためである。
【０１１２】
したがって、本例によれば、前記図８のフローチャートで、メニュ−を選択することなく、前記ツールバー部８０３にあるアイコンボタン８１３〜８１８をクリックするだけで多様な解析データが得られるので、操作時間の短縮が図れると共に、誤操作を軽減して操作性を向上することができる。
【０１１３】
図１７、図２０および図２１の時間波形表示画面を説明する。図１７は、図１の生体磁場計測装置のディスプレイ部に表示される単一波形画面、図２０は、図１の生体磁場計測装置のディスプレイ部に表示される重ね波形画面、図２１は、図１の生体磁場計測装置のディスプレイ部に表示されるグリッドマップ画面である。図示する操作領域において、「スケ−ル」ボックス内の磁束密度とあるのは、ゼロレベルを基準としたプラス側及びマイナス側のフルスケ−ルの値（単位はピコテスラ（ｐＴ））であり、その値はそのテキストボックスの三角黒ボタンをクリックすることにより、開かれるプルダウンメニュ−で選択される。
【０１１４】
図２２〜２４、図２６および図２７において、「表示成分」ボックス内のラジオボックスをクリックすることにより、法線成分の波形又は接線成分の波形を選択して画面表示することができる。
【０１１５】
図１７に示される単一波形表示画面によれば、解析データ部に上下に配列表示される各チャンネルの波形の形状や大きさを比較することができる。同様に、図２０の重ね波形表示画面によれば、図１７に示される上下に配列された単一波形が重ねて表示され、その波形の形状や大きさを比較することができる。前記図１７に示す単一波形表示画面を表示している時に、メニューバー部８０２の「ファイル（Ｆ）」メニューの「印刷（Ｐ）」項目を選択すると、図１８で示されるレポートが出力される。図１８は、図１７の単一波形表示の印刷レポートである。このレポートにおいて、被検者情報７４、信号情報７５および計測部位７６は、図１７の単一波形表示画面に表示されている情報に対応している。
【０１１６】
図１８に印刷される磁場波形５１を詳細に示したもの一部が図１９に示されている。図１９は、図１８の心磁波形の印刷出力の尺度を示す線図である。この心磁波形を通常よく用いられる心電図と整合性を持たせたものである。図１８に示されるレポートには、９本の磁場波形が印刷されているが、各々の磁場波形５１は、図１９に示される格子模様の上に描画される。この格子模様は、縦横１ｍｍの正方形からなり、この正方形が縦横５コずつ集まり、その境界は太線で書かれている。図１９の横軸は、時間軸を表わしており、１ｍｍ四方の正方形の一マスは０．０４秒、縦軸は、磁束密度を表わしており、一マスは１［ｐＴ］（ピコテスラ）である。
【０１１７】
図２２を参照して、図１の生体磁場計測装置のディスプレイ部に表示される等磁線の色分け表示を説明する。図２２は、図１の生体磁場計測装置のディスプレイ部に表示される等磁線図である。図２２において、解析デ−タ部の右端には縦に細長の磁場強度指標ボックス３１０が配置されている。その磁場強度指標ボックスは互いに色の異なる１２個の区画に区切られている。これは、図２２に示される等磁線図画面の各シマ模様で示される磁場の強度範囲を色の種類で区別することで視覚的な（色彩的な）認識性を向上させるようにしたものである。
【０１１８】
すなわち、その磁場強度指標ボックス３１０の長手方向の中心位置３１１は、磁場強度がゼロの位置で、その中心位置よりも上方の区画を中心位置に近い順番に第１〜第６区画とそれぞれ呼ぶことにすれば、たとえば第１区画は０〜２ｐＴの磁場強度範囲に、第２区画は２４ｐＴの磁場強度範囲に、第３区画は４〜６ｐＴの磁場強度範囲に、第４区画は６〜８ｐＴの磁場強度範囲に、第５区画は８〜１０ｐＴの磁場強度範囲に、そして第６区画は１０〜１２ｐＴの磁場強度範囲にそれぞれ対応している。
【０１１９】
中心位置よりも下方の区画についてもまったく同じである。ただし、中心位置よりも上方の区画はプラス方向の磁場強度を、下方の区画はマイナス方向の磁場強度を表している。図２２に示される等磁線図は、磁場強度指標ボックス３１０内の磁場強度範囲と色との対応関係の定めにしたがい、磁場強度に応じて色分け表示される。なお、色として、磁場強度のプラス側を暖色系、マイナス側は寒色系とし、中心部を黄色とするようにしてもよい。これにより、磁場の強弱を色彩的に認識することができるので視認性を向上することができる。
【０１２０】
本例では後述の図２６の伝播時間図および図２７の時間積分図も同様な等高線図によって生体磁気の特性量を表示しているため、上記等磁線図と同位置配色で表示してしまうと、表示している特性量が分りにくいため、表示する特性量によって、以下の説明のように配色を変えている。
【０１２１】
画面に表示される色は、ＲＧＢつまり赤緑青の三色を合成して生成されている。ＲＧＢの各色の強度を０から１００で表わし、例えば、ＲＧＢ値が（０，０，０）ならば黒、（１００，１００，１００）ならば白、（１００、０、０）は完全な赤、ＲＧＢ値が（５０，０，０）の時は明度が（１００、０，０）の半分の赤とする。このとき本例では、等磁線図の最大値を（１００，２０，２０）の明るい赤色、最小値を（４０，４０，１００）の紫の入った青、０値を（１００，１００，９０）の象牙色とし、時間積分図では、それらを各々（１００，２０，６７）のピンク色に近い赤、（２０，５７，１００）の緑が入った青、（９０，１００，９０）の淡い緑色、伝播時間図の最大値を（１００，２０，２０）の明るい赤、０値を（９７，９７，９７）の薄い灰色とした（伝播時間図では０値が最小値となる）。最大値と０値あるいは最小値と０値の中間値の特性量の色は最大値のＲＧＢ値と０値のＲＧＢ値の間を線形保管して求める。
【０１２２】
上記の配色によれば絶対値の等しい特性量に相当色は、正値の場合には暖色系、負値の場合には寒色系の色となるが色度は等しくなる。ここで色度というのはその色の見えかたと同じ見え方をする灰色の明るさとし、色度が等しいということはそれらの色が同じように目立って写るということになる。
【０１２３】
等磁線図および時間積分図は、正の値および負の値はほぼ同じ値域を持つため、正負の色度を揃えることによって特性量の強度によって同じ見え方になるため、それらの分布を正確に理解しやすくなる。また表示内容を白黒のディプレイ装置で表示させた場合、あるいは白黒のレーザープリンタによって印刷した場合に絶対値の等しい特性量は同じ濃さの灰色で印刷されるため、特性量の分布を正確に読み取ることが出来る。
【０１２４】
この例によれば、解析デ−タ部の近傍に磁場強度指標ボックス３１０を設けたので、比較対象の色、すなわち、マップに付された色と磁場強度指標ボックス３１０の所定の色とを目線移動を大きく移動させることなく比べながら確認することができるので、前記磁場の強弱のレベルと色との関係を明確に判断することができる。なお、この実施例では、磁場強度指標ボックス３１０を解析デ−タ部の右端に設けているが、解析デ−タ部の近傍であればよく、例えば、上部、下部、左側でもよい。
【０１２５】
図２２において、「再構成パラメ−タ」ボックス内の「マップ数」とあるのは表示される等磁線図の数を、「最大値」とあるのは磁場強度指標ボックス３１０の両端部に相当する磁場強度を、「間隔」とあるのは磁場強度指標ボックス３１０内の各区画の長さに対応する磁場範囲を意味する。その値については、これを対応するテキストボックスの三角又は逆三角ボタンをクリックして選択することができる。
【０１２６】
解析デ−タ部の最下段には参照チャンネルの心電波形と２個のマップ時刻選択用カ−ソル３１１及び３１２が表示されている。その２個のマップ時刻選択用カ−ソル３１１及び３１２間には間隔が同じ分割線が表示され、この線の数はマップ数選択によって選択されたマップの数と一致する。
【０１２７】
また、２個のマップ時刻選択用カ−ソル３１１及び３１２はその位置を独立に左右方向に移動可能で、その移動によってそのカ−ソル間の間隔が変わると、分割線の間隔も変わるが、分割線の間隔は常に等間隔である。もちろん、各分割線にカーソルを備えて１本１本別々に設定するようにしてもよい。
【０１２８】
図２２では、表示されている等磁線図の数は１６個であるが、これらの線図は参照チャンネルの波形上の分割線が位置する時点での線図であり、各マップについては、該マップが何時の時点のものであるかが分かるようにその時刻も表示される。これにより操作者は、現在解析デ−タ部に表示されているマップが解析時間（参照チャンネルの波形の幅）の中でどのくらいの範囲（２個のカ−ソル３１１と３１２の幅）を示し、前記マップが示す範囲が解析時間の中でどこの範囲なのか等を一目で把握することができるので、視認性を向上させることができる。
【０１２９】
また、前記マップが示す範囲を２個のカーソルをマウス操作で簡単に移動させることで設定できるので操作が容易である。更に、各分割線の間隔を自由に設定するようにすれば、疑問のある部分を密にして他の部分を疎にする等、操作者に多様な解析環境を提供できる。
【０１３０】
図２３を参照して他の等磁線図を説明する。図２３は、図１の生体磁場計測装置のディスプレイ部に表示される他の等磁線図である。また、図２３の右端の操作領域部にある「電流方向」のチェックボックスをクリックしてチェック印を表示すると、等磁線図上には矢印が表示される。この矢印が表示された等磁線図をアロ−マップと呼ばれる。矢印については、その位置は、チャンネルの位置（磁気センサの位置）、長さは、磁場の強度、そして方向は、磁場の方向を電流の方向に変換した場合のその電流の方向をそれぞれ示している。
【０１３１】
また、等磁線図は、２次元的な等高線図と図２４に示す３次元的な立体図によって表示することができ、操作領域８０６の表示方法の２Ｄおよび３Ｄラジオボタンによって切り替えることで、表示することができる。つまり、２Ｄラジオボタンが押されると等磁線図として、図２２および図２３で示される２次元的な等高線図が表示される。また、３Ｄラジオボタンが押されると、図２４に示される立体図が表示される。図２４は、図１の生体磁場計測装置のディスプレイ部に表示されるさらに他の等磁線図である。
【０１３２】
図２５を参照して、三次元的立体図を合成するための視線方向の設定ダイアログを説明する。図２５は、等磁線図の三次元表示の視線方向を設定するためのダイアログボックス図である。図２５において、３Ｄ表示の設定ダイアログは、メニューバー部８０３の「オプション（Ｏ）」メニューの「３Ｄ表示設定（Ｄ）」項目をマウス８−３で選択し、クリックすることによって開かれる。
【０１３３】
通常、等磁線図の立体図は、図１の生体磁場計測装置システムにおいて、検査者が被検者２をベッド３にのせて、デュア４の下の測定可能な位置に設定するため、被検者の右側に立って腰部付近から被検者の胸部を見下ろした角度で作成されたものが理解しやすい。ところが、磁気シールドルーム１の設置条件によってベッド３とデュア４が左右対称に設置される場合があり、また、立体図の凹凸の状態を確認する場合のために立体図を合成するための角度は設定可能でなければならない。
【０１３４】
３Ｄ（３次元）表示の設定ダイアログの上部には、デュア４とベッド３の配置図が示され、視線方向の角度がどのように定義されているかを示している。同下部には視線方向を定めるための２つの角度パラメータを受け付けるテキストボックスが配置されている。図２５に示す設定ダイアログで入力された値は、同様の操作によって変更されない限り、それ以降の操作において有効となる。
【０１３５】
図２６を参照して、伝播時間操作を説明する。図２６は、図１の生体磁場計測装置のディスプレイ部に表示される伝播時間表示画面である。図２６において、伝播時間の起点位置の変更は参照波形上で移動するカ−ソル３２１の位置を変えることによって可能であり、カ−ソル３２１の位置の変更は、そのカ−ソルをマウスを用いてドラッグすることにより可能である。伝播時間図の表示も２Ｄおよび３Ｄラジオボタンによって等磁線図も同様に２次元の等高線表示と３次元の立体表示を切り替えることが出来る。
【０１３６】
図２７は、時間積分図操作を説明する。図２７は、図１の生体磁場計測装置のディスプレイ部に表示される時間積分表示画面である。図２７には、２つの時間積分図と１つの差分図が表示されている。伝播時間図の「差分表示」は、チェックボックスをクリックして、チェック印を表示することで簡単に表示することができる。「差分表示」がチエックされると、参照波形上に４つのカ−ソル３３１〜３３４が現れ、更に図示のように上方左右に２つの時間積分図が、下方左側に差分図がそれぞれ表示される。
【０１３７】
二つの時間積分図は心磁波形を、参照波形上でカ−ソル３３１及び３３２並びにカ−ソル３３３及び３３４を用いてそれぞれ設定された１００ｍｓｅｃ〜１４０ｍｓｅｃ及び１８０ｍｓｅｃ〜２４０ｍｓｅｃという時間範囲に亘って積分した値に基づくもので、それぞれの時間範囲はカ−ソル３３１及び３３２並びにカ−ソル３３３及び３３４をマウスを用いてそれぞれドラッグすることで変えられ得る。
【０１３８】
差分図は、二つの時間積分図の差を表すものである。チェック印がない場合は、カ−ソルについては２個のカ−ソル（たとえばカ−ソル３３１及び３３２）だけが現れ、時間積分図については１つの時間積分図だけが表示される。もちろん、積分時間の変更は、カ−ソルの位置を変えることによって可能である。このように、この本例によれば、「差分表示」にチェック印をクリックすることにより、次の操作を促す２組のカーソルが表示されるので、操作の迷いを与えず操作時間の短縮が図れ、しかも、前記２組のカーソルをマウスで移動させることで時間範囲を簡単に設定することができるから操作性を向上することができる。時間積分図の表示も２Ｄおよび３Ｄラジオボタンによって等磁線図も同様に２次元の等高線表示と３次元の立体表示を切り替えることが出来る。
【０１３９】
【発明の効果】
以上詳細に説明したごとく、本発明の構成によれば、複数の計測位置の磁場強度の測定が容易で、且つ検査者が信号データを正しく読み取れるように、時間特性図を心電図と同一の尺度で比較可能とし、操作性の良好な生体磁場計測データの表示方法および印刷方法を提供することができる。
【図面の簡単な説明】
【図１】本発明の一実施形態に係る生体磁場計測装置の概略構成図である。
【図２】図１の生体磁場計測装置に用いられる複数の磁気センサの斜視図である。
【図３】図１の生体磁場計測装置において用いられる磁場の法線成分を検出する磁気センサの斜視図である。
【図４】図１の生体磁場計測装置において用いられる磁場の接線成分を検出する磁気センサの斜視図である。
【図５】図１の生体磁場計測装置における磁気センサと被検者の胸部との位置関係の説明図である。
【図６】図１の生体磁場計測装置のディスプレイ部に表示される表示画面の基本的構成図である。
【図７】図１の生体磁場計測装置のディスプレイ部に表示画面のメニュ−バ−部における操作メニュ−説明図である。
【図８】図１の生体磁場計測装置において操作を示すフロ−チャートである。
【図９】図８のフロ−チャートにおける被検者選択のフロ−チャートである。
【図１０】図１の生体磁場計測装置のディスプレイ部に表示される被検者リスト画面である。
【図１１】図８のフロ−チャート中のデ−タ計測のフロ−チャートである。
【図１２】図１の生体磁場計測装置のディスプレイ部に表示される全チャンネルのデータ計測画面である。
【図１３】図１の生体磁場計測装置のディスプレイ部に表示される行単位または列単位のデ−タ計測画面である。
【図１４】図６の基本的な表示画面における被検者情報部に表示される被検者の計測部位図を生成するためのデータベースである。
【図１５】図１の生体磁場計測装置のディスプレイ部に計測終了時に表示される波形確認画面である。
【図１６】図８のフロ−チャートにおけるデ−タ解析のフロ−チャートである。
【図１７】図１の生体磁場計測装置のディスプレイ部に表示される単一波形画面である。
【図１８】図１７の単一波形表示を印刷レポートである。
【図１９】図１８における心磁波形を出力する印刷出力の尺度を示す線図である。
【図２０】図１の生体磁場計測装置のディスプレイ部に表示される重ね波形画面である。
【図２１】図１の生体磁場計測装置のディスプレイ部に表示されるグリッドマップ画面である。
【図２２】図１の生体磁場計測装置のディスプレイ部に表示される等磁線図である。
【図２３】図１の生体磁場計測装置のディスプレイ部に表示される他の等磁線図である。
【図２４】図１の生体磁場計測装置のディスプレイ部に表示されるさらに他の等磁線図である。
【図２５】等磁線図の３次元表示の視線方向を設定するためのダイアログボックス図である。
【図２６】図１の生体磁場計測装置のディスプレイ部に表示される伝播時間表示画面である。
【図２７】図１の生体磁場計測装置のディスプレイ部に表示される時間積分表示画面である。
【図２８】図５に示すそれぞれ計測部位の生体磁場測定信号線図である。
【図２９】図２８の生体磁場測定信号の内、２チャンネルについての接線成分の心磁波形線図である。
【図３０】図２８の生体磁場測定信号に対応させて特定時間毎の等磁線図である。
【符号の説明】
１…磁気シ−ルドル−ム、２…被検者、３…ベッド、４…デユワ、５…自動補給装置、６…ＦＬＬ回路、７…増幅器・フイルタ−・増幅器、８…計算機、８−１…ディスプレイ部、８−２…キ−ボ−ド、８−３…マウス、２０−１〜２０−８、２１−１〜２１−８、２２−１〜２２−８、２３−１〜２３−８、２４−１〜２４−８、２５−１〜２５−８、２６−１〜２６−８及び２７−１〜２７−８…磁気センサ、１０、１０’及び１０”並びに１１、１１’及び１１”…コイル、１２、１２’及び１２”…ＳＱＵＩＤ、１３及び１４…センサ、３０…胸部、２６１…スクロ−ルボックス、２６２…スクロ−ルバ−、２６３…表示開始時刻、２７１…しきい値カ−ソル、２７３〜２７５…スライダ−カ−ソル、３１１、３１２及び３３１〜３３４…カ−ソル、８０１…タイトルバ−部、８０２…メニュ−バ−部、８０３…ツ−ルバ−部、８０４…被検者情報部、８０５…解析デ−タ部、８０６…操作領域部、８０８…ステ−タスバ−部、８０７−１…メッセイジバ−部、８０７−２…日時表示部、８０８〜８１４…アイコン。
【図１】
2004041739.tif 000003
【図２】
2004041739.tif 000004
【図３】
2004041739.tif 000005
【図４】
2004041739.tif 000006
【図５】
2004041739.tif 000007
【図６】
2004041739.tif 000008
【図７】
2004041739.tif 000009
【図８】
2004041739.tif 000010
【図９】
2004041739.tif 000011
【図１０】
2004041739.tif 000012
【図１１】
2004041739.tif 000013
【図１２】
2004041739.tif 000014
【図１３】
2004041739.tif 000015
【図１４】
2004041739.tif 000016
【図１５】
2004041739.tif 000017
【図１６】
2004041739.tif 000018
【図１７】
2004041739.tif 000019
【図１８】
2004041739.tif 000020
【図１９】
2004041739.tif 000021
【図２０】
2004041739.tif 000022
【図２１】
2004041739.tif 000023
【図２２】
2004041739.tif 000024
【図２３】
2004041739.tif 000025
【図２４】
2004041739.tif 000026
【図２５】
2004041739.tif 000027
【図２６】
2004041739.tif 000028
【図２７】
2004041739.tif 000029
【図２８】
2004041739.tif 000030
【図２９】
2004041739.tif 000031
【図３０】
2004041739.tif 000032